(57)【特許請求の範囲】
【請求項１】
ドア又はドア枠に取り付けられるフロント板を有する枠箱と、アクチュエータがフロント板の内面を向くようにして枠箱内に固定されたマイクロスイッチと、前記アクチュエータを作動させるために、枠箱内におけるフロント板の内面とマイクロスイッチのアクチュエータとの間に配設されると共に、基端を枠箱側板に枢着され、先端側に第１永久磁石を備えた作用レバーと、この第１永久磁石をフロント板の内面に向け付勢させるようにしたレバーばねと、ドアの閉鎖時前記第１永久磁石に整合するドア枠又はドアの部位に装着され、第１永久磁石と同磁極の関係で対向する第２永久磁石と、ドアの閉鎖時相互に近接する第１永久磁石及び第２永久磁石相互の磁気反発力によって、レバーばねの付勢力に抗してマイクロスイッチのアクチュエータに向かって傾動する作用レバーを適切な位置に停止させ、以て、アクチュエータ及びマイクロスイッチに無理な力が加わらないようにするため、枠箱内に固定されたストッパ部材とを備えたことを特徴とするドア用スイッチ装置。
【請求項２】
ドア又はドア枠に取り付けられるフロント板を有する枠箱と、アクチュエータがフロント板の内面を向くようにして枠箱内に固定されたマイクロスイッチと、前記アクチュエータを作動させるために、枠箱内におけるフロント板の内面とマイクロスイッチのアクチュエータとの間に配設されると共に、基端を枠箱側板に枢着され、先端側に第１永久磁石を備えた作用レバーと、この第１永久磁石をマイクロスイッチのアクチュエータに向け付勢させるようにしたレバーばねと、ドアの閉鎖時前記第１永久磁石に整合するドア枠又はドアの部位に装着され、第１永久磁石と異磁極の関係で対向する第２永久磁石と、ドアの開放時第１永久磁石及び第２永久磁石相互の磁気吸着力が消失した際、第２永久磁石から解放され、レバーばねによってマイクロスイッチのアクチュエータに向けて傾動する作用レバーを適切な位置に停止させ、以て、アクチュエータ及びマイクロスイッチに無理な力が加わらないようにするため、枠箱内に固定されたストッパ部材とを備えたことを特徴とするドア用スイッチ装置。
【発明の詳細な説明】
【０００１】
【発明の属する技術分野】
この発明は、ドアとドア枠との間に設定されるドア用スイッチ装置に関する。
【０００２】
【従来の技術】
ドアの開閉に伴ってオン・オフ作動する所謂ドア用スイッチ装置は、通常、ドア及びドア枠の一方に永久磁石を、他方にリードスイッチを夫々設け、扉が閉鎖されて両者が近接したときリードスイッチを駆動するようにし、このリードスイッチの出力信号を例えば扉閉鎖信号として建物の総合的な管理装置に送給する。
【０００３】
しかしながら、リードスイッチは電流容量が小さいので、上記したような信号発生用には適しているが、例えば電機錠のアクチュエータへの電力の制御等に用いることができない、という不都合がある。
【０００４】
また、マイクロスイッチは電流容量が大きいから、電力制御にも信号発生用にも用いることができて汎用性に優れているが、マイクロスイッチを用いてドア用スイッチ装置を構成しようとすると、必然的にそれを作動させるアクチュエータがドア部分において外部に露出することになるので、ごみ類が付着して作動不良を生じたり、子供等がいたずらでオン・オフ作動をさせたりするなどの不都合があった。
【０００５】
【発明が解決しようとする課題】
この発明のドア用スイッチ装置は、比較的大きな電流の流れる回路に直接組み込むことができるようにすると共に、アクチュエータ等の可動部材が外部に露出しないようにしてごみ類の付着による作動不良をなくし、また、子供のいたずら等による誤作動を無くすことを目的として提案されたものである。
【０００６】
【課題を解決するための手段】
上記の目的を達成するため、この発明に係る請求項１のドア用スイッチ装置は、ドア又はドア枠に取り付けられるフロント板を有する枠箱と、アクチュエータがフロント板の内面を向くようにして枠箱内に固定されたマイクロスイッチと、前記アクチュエータを作動させるために、枠箱内におけるフロント板の内面とマイクロスイッチのアクチュエータとの間に配設されると共に、基端を枠箱側板に枢着され、先端側に第１永久磁石を備えた作用レバーと、この第１永久磁石をフロント板の内面に向け付勢させるようにしたレバーばねと、ドアの閉鎖時前記第１永久磁石に整合するドア枠又はドアの部位に装着され、第１永久磁石と同磁極の関係で対向する第２永久磁石と、ドアの閉鎖時相互に近接する第１永久磁石及び第２永久磁石相互の磁気反発力によって、レバーばねの付勢力に抗してマイクロスイッチのアクチュエータに向かって傾動する作用レバーを適切な位置に停止させ、以て、アクチュエータ及びマイクロスイッチに無理な力が加わらないようにするため、枠箱内に固定されたストッパ部材とを備えたことを特徴とする。
【０００７】
また、この発明に係る請求項２のドア用スイッチ装置は、ドア又はドア枠に取り付けられるフロント板を有する枠箱と、アクチュエータがフロント板の内面を向くようにして枠箱内に固定されたマイクロスイッチと、前記アクチュエータを作動させるために、枠箱内におけるフロント板の内面とマイクロスイッチのアクチュエータとの間に配設されると共に、基端を枠箱側板に枢着され、先端側に第１永久磁石を備えた作用レバーと、この第１永久磁石をマイクロスイッチのアクチュエータに向け付勢させるようにしたレバーばねと、ドアの閉鎖時前記第１永久磁石に整合するドア枠又はドアの部位に装着され、第１永久磁石と異磁極の関係で対向する第２永久磁石と、ドアの開放時第１永久磁石及び第２永久磁石相互の磁気吸着力が消失した際、第２永久磁石から解放され、レバーばねによってマイクロスイッチのアクチュエータに向けて傾動する作用レバーを適切な位置に停止させ、以て、アクチュエータ及びマイクロスイッチに無理な力が加わらないようにするため、枠箱内に固定されたストッパ部材とを備えたことを特徴とする。
【０００８】
【発明の実施の形態】
以下、図面に示す実施例に基づいて、この発明について説明する。
図面において、図１及び図２は、この発明に係る第１実施例の反発磁石タイプのドア用スイッチ装置を示し、図３及び図４はこの発明に係る第２実施例の吸着磁石タイプのドア用スイッチ装置を示している。
【０００９】
第１実施例を表わす図１及び図２において、符号１０は扉又は引戸であるドア、２０はドア枠、３０はドアの閉鎖時におけるドア１０とドア枠２０との間の間隙（所謂チリ）をそれぞれ示している。
【００１０】
この発明のドア用スイッチ装置の枠箱１は、前方部にフロント板１１を有し、全体としては箱形に形成してあり、その枠箱１はドア１０又は図示しないドア枠にねじ９１等で取り付けられる。
【００１１】
前記の枠箱１内における側板１２には、公知のマイクロスイッチ２がそのアクチュエータ２１をフロント板１１の内面を向くようにしかつフロント板１１から適当間隔を隔てるようにしてねじ９３等で固定してある。
【００１２】
マイクロスイッチ２を開閉作動するアクチュエータ２１はマイクロスイッチ２の本体に対し勿論可動にしてあり、その形式としては、細長い板材を傾動するようにしたもの、釦状の押し片を突出入できるようにしたもの等任意のものが採用できる。図１及び図２で符号２２はマイクロスイッチ２の端子を示している。
【００１３】
そして、枠箱１内において、フロント１１の内面とマイクロスイッチ２のアクチュエータ２１との間の側板１２には、該アクチュエータ２を作動させるために、先端側に第１永久磁石３を装着した作用レバー５の基端が枢軸５１によって枢着してある。
【００１４】
図示例の作用レバー５は側面形がたとえばく字状をなす板材で作られており、ねじりばねその他の種類のレバーばね６によって該作用レバー５がフロント板１１の内面に向かうように付勢してある。
【００１５】
図示例のレバーばね６はその中央部のループが枢軸５１に嵌め込まれ、両端が枠箱１内のばね掛けピン６及び作用レバー５上のばね掛け片６２にそれぞれ掛け止めてある。
【００１６】
図１及び図２で符号３１は第１永久磁石３のカバー部材を兼ねる取付部材で、第１永久磁石３を覆う取付部材３１はそのフランジ部において例えばスポット溶接をして作用レバー５に固定してある。
【００１７】
図２に示すように、ドア１０の閉鎖時作用レバー５上の第１永久磁石３に整合するドア枠２０又はドアの部位には、第１永久磁石３と同磁極の関係で対向する第２永久磁石４がカバー部材を兼ねる取付部材４１及び装着板４２を介して取り付けられている。
【００１８】
第２永久磁石４の周りに施されたカバー部材を兼ねる取付部材４１はそのフランジ部において例えばスポット溶接をして、装着板２に固定してある。なお、符号９２は前記装着板４２をドア枠２０に取り付けるためのねじを示している。
【００１９】
更にまた、枠箱１内の側板１２における上記の作用レバー５の近傍にはストッパ部材７が固定してある。図示例のストッパ部材７は平板材で作られ、マイクロスイッチ２の本体と枠箱１の一方の側板１２との間で挟持固定されている。
【００２０】
該ストッパ部材７とマイクロスイッチ２の本体は共通の止めねじ９３で固定するを可とし、止めねじ９３を挿通させるストッパ部材７の貫通孔は取付位置を調整するため長孔とするとよい。
【００２１】
作用レバー５は、ドアの開放時（図１参照）はレバーばね６の付勢力によってその先端側がフロント板１１の内面に押し付けられて定位されているが、ドア１０が閉鎖されると（図２参照）、該作用レバー５上の第１永久磁石３が同磁極で対向する第２永久磁石４に接近し、該作用レバー５はレバーばね６の付勢力に抗して矢印Ａ方向に傾動し、マイクロスイッチ２のアクチュエータ２１を本体に向けて押し付け該マイクロスイッチ２を駆動する。
【００２２】
すなわち、該マイクロスイッチ２をオン又はオフの状態とする。ここで、マイクロスイッチをオン又はオフとするという意味は、マイクロスイッチの端子の内ＮＯ端子を用いればアクチュエータ２１が本体に押し付けられたときマイクロスイッチはオンとなり、ＮＣ端子を用いればオフとなるということである。
【００２３】
この際、作用レバー５はストッパ部材７に当接し、適切な位置に停止するので、アクチュエータ２１は必要以上に押し付けられることがなく、アクチュエータ及びマイクロスイッチに無理な力が加わることはない。
【００２４】
他方、ドア１０が閉鎖状態から開放されると、第１永久磁石が第２永久磁石４から離間するので、両磁石３、４間に作用していた磁気反発力が消失し、作用レバー５は、レバーばね６の付勢力により、矢印Ａとは逆方向に傾動し、図１に示す当初の位置に復帰する。
【００２５】
ここに、作用レバー５によって押し付けられていたマイクロスイッチ２のアクチュエータ２１はその拘束が解かれ、図１の位置に突出復帰するので、マイクロスイッチ２はドアの閉鎖時とは逆の開閉作動をする。
【００２６】
次に、この発明に係る第２実施例の吸着磁石タイプノドア用スイッチ装置を図３及び図４において説明する。
【００２７】
図３及び図４において、図１及び図２に第１実施例と同一の符号で指し示される部材又は部位は、互いに等効の作用を呈する部材又は部位を表しているので、第２実施例については第１実施例と相違している部分を中心として説明する。
【００２８】
第２実施例における作用レバー５は、レバーばね６ａによってマイクロスイッチ２のアクチュエータ２１に向かうように付勢させてあり、また、作用レバー５上の第１永久磁石３とその第１永久磁石３に例えばドア枠２０側において対向させる第２永久磁石４とは異磁極の関係で向かい合うようにしてある。
【００２９】
従って、ドアの開放時（図３参照）には、第２永久磁石３と第２永久磁石４とは離間して両者間に磁気吸着力が生じていないので、作用レバー５はレバーばね６ａの付勢力によってアクチュエータ２１をマイクロスイッチ２の本体に押し付ける一方、それ自体はストッパ部材７によって適正位置に停止されている。
【００３０】
このドアの開放時においては、マイクロスイッチ２はアクチュエータ２１によりオン又はオフのいずれかの状態に保たれている。
【００３１】
ドア１０が閉鎖されると（図４参照）、作用レバー５上の第１永久磁石３が異磁極で対向する第２永久磁石４に接近して両磁石３、４間に磁気吸着力が生じるので、作用レバー５はレバーばね６ａの付勢力に抗して矢印Ｂ方向に傾動し、その先端側がフロント板１１の内面に押し付けられて停止する。
【００３２】
その間に、作用レバー５によって押さえつけられていたマイクロスイッチ２のアクチュエータ２１はその拘束が解かれるので、前方に向け変位し、マイクロスイッチ２を開・閉させる。
【００３３】
他方、ドア１０が閉鎖状態から開放されると、第１永久磁石３が第２永久磁石４から離間するので、両磁石３、４間に作用していた磁気吸着力が、消失し、作用レバー５はレバーばね６ａの付勢力により矢印Ｂとは逆方向に傾動し、図３に示す当初の位置に復帰してストッパ部材７によって適正位置に停止する。
【００３４】
ここに、作用レバー５によって、アクチュエータ２１が再び押し付けられ、マイクロスイッチ２はドアの閉鎖時とは逆の開閉作動をする。
【００３５】
なお、両実施例において、作用レバー５のマイクロスイッチ２のアクチュエータ２１に対する当接（接触）は第１永久磁石３及びその周りの取付部材３１を介して行われているが、作用レバー（５）に一体の突片等を設けてそれでアクチュエータ２１を直接押すようにしてもよい。
【００３６】
上述の第１永久磁石３及び第２永久磁石４が接触又は近接するフロント板３及び装着板４２は磁力線が遮断されないように共に非磁性材料で作るものとする。
【００３７】
また、第１及び第２永久磁石３、４の近傍の部材は磁力線の分散を避けるため非磁性材料で製作するを可とする。
【００３８】
【発明の効果】
以上に説明した発明のドア用スイッチ装置は、マイクロスイッチの利用により比較的大きな電流が流れる回路に直接挿入することができるようにしてあるので、錠機構等のドアの電気的付属装置の作動を制御するに極めて有利である。
【００３９】
また、この発明のドア用スイッチ装置においては、アクチュエータ並びに作用レバー等の可動部材が枠箱内に封じてあり、ドア近くに露出させていないから、ごみ類の付着による作動不良をなくすと共に、子供のいたずら等による誤作動を無くすことができるなどの効果を奏する。
【図面の簡単な説明】
【図１】この発明のドア用スイッチ装置の第１実施例をドアの開放状態において示す部分縦断側面図。
【図２】その第１実施例をドアの閉鎖状態において示す部分縦断側面図。
【図３】この発明のドア用スイッチ装置の第２実施例をドアの開放状態において示す部分縦断側面図。
【図４】その第２実施例をドアの閉鎖状態において示す部分縦断側面図。
【符号の説明】
１０  ドア
２０  ドア枠
１  枠箱
１１  フロント板
２  マイクロスイッチ
２１  アクチュエータ
３  第１永久磁石
４  第２永久磁石
５  作用レバー
６  レバーばね
６ａ  レバーばね
７  ストッパ部材
【図１】
0004383553.tif 000002
【図２】
0004383553.tif 000003
【図３】
0004383553.tif 000004
【図４】
0004383553.tif 000005